(57)【要約】【課題】金属素材の好ましくない特性に由来する不都合な帰結が低減または回避される、安定した印刷機を提供する。【解決手段】  印刷機、特にレーベル印刷機または枚葉紙を処理するオフセット印刷機が開示されており、その印刷ユニットは、少なくとも部分的に、好ましくは全面的に石材で製作された機械支持構造に受けられている。石材は自然石、特に花崗岩であってもよく、または人造石、特にコンクリートであってもよい。【選択図】図５
2008068624.tif 000002
【特許請求の範囲】
【請求項１】
支持部材（１４）を含んでいる機械支持構造（１２）と、少なくとも１つの印刷ユニット（３０）とを備え、該印刷ユニットの少なくとも一部は軸受部材によって前記支持部材（１４）に受けられている印刷機（１０）において、
前記支持部材（１４）は少なくとも部分的に石材で製作されていることを特徴とする印刷機。
【請求項２】
前記石材の支持部材（１４）は、室内での前記印刷ユニット（３０）の少なくとも一部の位置決めに必要な支持力を印加し、および／または前記一部に働く重力の補償力を印加する、請求項１に記載の印刷機（１０）。
【請求項３】
複数の印刷ユニット（３０）が前記支持部材（１４）に受けられている、請求項１または２に記載の印刷機（１０）。
【請求項４】
前記機械支持構造（１２）は石材で製作された複数の支持部材（１４）を有している、請求項１から３までのいずれか１項に記載の印刷機（１０）。
【請求項５】
前記支持部材（１４）は、基礎フレーム、機械フレーム、機械基礎、底面プレート、底面ユニット、印刷ユニットフレーム、印刷ユニット下部、側面（２０，２２）、側壁（６８）、側方フレーム、支持壁（４０，４４）、橋形支持体、または連結形材（２４）である、請求項１から４までのいずれか１項に記載の印刷機（１０）。
【請求項６】
前記支持部材はモノブロックで製作されている、請求項１から４までのいずれか１項に記載の印刷機（１０）。
【請求項７】
前記石材は自然石である、請求項１から６までのいずれか１項に記載の印刷機（１０）。
【請求項８】
前記自然石は火成岩、深成岩、脈石、噴出岩、または変成岩である、請求７に記載の印刷機（１０）。
【請求項９】
前記自然石は花崗岩、花崗岩質の岩石、花崗斑岩、片麻岩、または大理石である、請求項７に記載の印刷機（１０）。
【請求項１０】
前記自然石は黒色花崗岩、斑レイ岩、またはインパラ花崗岩である、請求項７に記載の印刷機（１０）。
【請求項１１】
前記石材は人造石である、請求項１から６までのいずれか１項に記載の印刷機（１０）。
【請求項１２】
前記人造石はコンクリートまたはセラミックである、請求項１１に記載の印刷機（１０）。
【請求項１３】
前記支持部材（１４）は石材および少なくとも１つの別の素材からなる複合材料である、請求項１から６までのいずれか１項に記載の印刷機（１０）。
【請求項１４】
前記別の素材はハニカム構造をもつプラスチックである、請求項１３に記載の印刷機（１０）。
【請求項１５】
前記印刷機（１０）は枚葉紙を処理する印刷機である、請求項１から１４までのいずれか１項に記載の印刷機（１０）。
【請求項１６】
前記印刷機（１０）はウェブを処理する印刷機である、請求項１から１４までのいずれか１項に記載の印刷機（１０）。
【請求項１７】
ウェブを処理する前記印刷機は印刷された被印刷体ウェブのための巻取り部（５０）を有している、請求項１６に記載の印刷機（１０）。
【請求項１８】
前記印刷機（１０）はレーベル印刷機である、請求項１から１７までのいずれか１項に記載の印刷機（１０）。
【請求項１９】
前記印刷機はオフセット印刷機であり、または、少なくとも１つのオフセット印刷ユニットを有している、請求項１から１８までのいずれか１項に記載の印刷機（１０）。
【請求項２０】
前記印刷機（１０）は互いに異なる印刷方法に準じて作動する複数の印刷ユニット（３０）を有している、請求項１から１９までのいずれか１項に記載の印刷機（１０）。
【請求項２１】
前記異なる印刷方法は、フレキソ印刷、グラビア印刷、活版印刷、凸版印刷、直接式または間接式の平版印刷、石版印刷、オフセット印刷、水なしオフセット印刷、冷間フィルム浮き出し印刷、熱間フィルム浮き出し印刷、インクジェット印刷、液体トナー印刷、スクリーン印刷、ゼログラフィ印刷の各印刷方法のうちの１つまたは複数である、請求項２０に記載の印刷機（１０）。
【請求項２２】
第１の印刷方法の印刷ユニットが前記印刷機（１０）の残りを含めた分離個所から部分的または全面的に取り外され、前記分離個所で受けられるべき第２の印刷方法の印刷ユニット（３０）で部分的または全面的に置き換えられることによって、前記印刷機（１０）をさまざまな印刷方法の間で設備変更可能である、請求項１から２１までのいずれか１項に記載の印刷機（１０）。
【請求項２３】
前記印刷機（１０）の印刷長さおよび／または印刷幅が可変である、請求項１から２２までのいずれか１項に記載の印刷機（１０）。
【請求項２４】
前記印刷機（１０）は複数の印刷ユニット（３０）のモジュール形式の構成を有している、請求項１から２３までのいずれか１項に記載の印刷機（１０）。
【請求項２５】
前記複数の印刷ユニット（３０）の各々が、石材で製作された少なくとも１つの支持部材（１４）を備える機械支持構造（１２）を有している、請求項２４に記載の印刷機（１０）。
【請求項２６】
前記印刷機（１０）の前記印刷ユニット（３０）は実質的に水平方向にタンデム型で配置されている、請求項１から２５までのいずれか１項に記載の印刷機（１０）。
【請求項２７】
前記印刷ユニット（１０）は個別駆動装置によって別々に駆動される、請求項１から２６までのいずれか１項に記載の印刷機（１０）。
【発明の詳細な説明】
【技術分野】
【０００１】
本発明は、支持部材を含んでいる機械支持構造と、少なくとも１つの印刷ユニットとを備え、該印刷ユニットの少なくとも一部は軸受部材によって前記支持部材に受けられている、特にレーベルを印刷するための印刷機に関する。
【背景技術】
【０００２】
すでに何年も以前から、印刷機および印刷機で使用される個々のコンポーネントは、特に鋼材、アルミニウム、またはチタンといった金属素材で大量に製造されてきている。このような素材が伝統的に使用されてきた理由は、そのいくつかの物理的および工学的な特性に基づき、要求を満たす適性を有していることに加えて、特に、広く普及した素材であるために、金属素材を製造して適切に加工する質的な熟練度と、量的なキャパシティとが整っていることに帰せられる。現代の印刷技術を備えた印刷機では、多くの場合、金属素材からなる大型の鋳造部品が機械支持構造のために用いられ、このような鋳造部品は、技術的に高いコストがかかり、しばしば高い費用を要する加工ステップで成形される。現代の印刷機では金属素材が使用される結果、たとえば導電性、熱膨張性、機械的な振動挙動、あるいはこれらの特性に基づく帰結といった、このような素材のいくつかの特定の不都合な物理的特性に対処するために、支援的な技術的方策が必要になるのが通常である。
【０００３】
現代の印刷機の、商業的にきわめて重要な大きい利用分野の１つは、レーベルの製造である。たとえば特許文献１には、タンデム型の個々の印刷ユニットのための個別駆動装置を備えるレーベル印刷機が記載されており、このレーベル印刷機では被印刷体ウェブが処理されて、場合により特殊効果をもつように加工された多色刷りのレーベルがつくられる。このレーベル印刷機で適用される印刷方法は、一方では判型を変更するため、または他方では方法を変更するために、印刷ジョブに応じて柔軟に変更することができ、それにより、さまざまな製品要求事項を満たせるようになっている。そのために、このレーベル印刷機は複数の分離個所を有しており、これらの分離個所で、特にフレキソ印刷、グラビア印刷、オフセット印刷、スクリーン印刷といったさまざまな印刷方法の印刷ユニットまたは印刷ユニット部分を、取外し可能に連結することが可能である。これらの分離個所を介して、印刷ユニットまたは印刷ユニット部分が固定されると同時に、当該印刷ユニットの個別駆動装置への駆動装置接続が閉じられる。特許文献１に示されているレーベル印刷機も、従来式のやり方で、金属の鋳造部品により製作されている。
【特許文献１】国際公開第２００５／０２８２０２Ａ１号パンフレット
【発明の開示】
【発明が解決しようとする課題】
【０００４】
本発明の目的は、金属素材の好ましくない特性に由来する不都合な帰結が低減または回避される、安定した印刷機を提供することにある。
【課題を解決するための手段】
【０００５】
この目的は、本発明によると、請求項１に記載の特徴を備える印刷機によって達成される。本発明の有利な発展例は従属請求項に記載されている。
【０００６】
特にレーベルを印刷および／または製造するための本発明の印刷機は、少なくとも部分的に石材から製作された支持部材を含む機械支持構造と、少なくとも１つの印刷ユニットとを有しており、該印刷ユニットの少なくとも一部は軸受部材によって前記支持部材に受けられている。
【０００７】
本発明の関連で用いられる石材という概念は、固い鉱物性の塊、もしくはそのような種類の材料からなる個々の物体を意味している。石材は、自然石または人造石であってもよい。自然石は、地質年代の過程で成立した固い鉱物性の塊であり、地殻の無機成分の一部であり、もしくはこのような材料からなる個々の物体である。自然石は、溶融した鉱物が固化することによって生じるか（玄武岩、花崗岩、火山岩）、または、緻密でない材料が硬化することによって生じることができる（砂岩、石灰岩）。それに対して人造石は、技術的な方法によって得られる。
【０００８】
支持部材は石材でできており、特に１つまたは複数の石材でできており、好ましくは全面的に石材でできている。特に、機械支持構造の大部分、または機械支持構造の全体が石材で製作されていてもよい。印刷ユニット全体が支持部材に受けられているのが好ましい。
【０００９】
軸受部材は取外し可能に、または取外し不可能に、支持部材と連結されていてもよい。軸受部材は、特に、ブッシュまたは揺動軸受または回転軸受または金属素材からなる溝付きレールであってもよい。軸受部材は、接着接合またはネジ接合によって石材製の支持部材と固定されていてもよく、特に貼り込まれるか、もしくはねじ込まれていてもよい。軸受部材は支持部材へ挿入されていてもよい。軸受部材は印刷ユニットの一部であってもよく、または機械支持構造の一部であってもよい。印刷ユニットの当該部分は、印刷ユニットの構成要素、特にシャフトであってもよく、または印刷ユニットのモジュールであってもよい。印刷ユニットは、インキ、塗料、クリアラッカー、またはたとえばフィルム、ホログラム、ＲＦＩＤ回路のような基材を被印刷体に塗布する役目をする。印刷ユニットは、特にインキ装置および／または湿し装置を含んでいてもよい。印刷機のそれ以外の部分は、軸受部材なしに支持部材で直接受けられていてもよく、または軸受部材を用いて間接的に受けられていてもよい。たとえば制御コンポーネントおよび／または駆動コンポーネントおよび／または処理装置、特に乾燥機や裁断ユニットなどが、支持部材に取り付けられていてもよい。支持構造は、取付構造、機械構造、または基礎構造などと呼ぶこともできる。印刷機は輪転印刷機であるのが好ましい。
【００１０】
機械支持構造、特に支持部材は印刷機の一部であり、印刷機が配置される周辺領域の一部ではない。支持部材は、印刷機と別々であるとみなしたり、印刷機から独立しているとみなすことはできない。特に支持部材は、支持構造、下部構造、架台部材、工場床面、印刷所の基礎、床板、印刷機の中間仕切りなどではない。換言すると、１つまたは複数の印刷ユニットは支持部材に受けられているのであって、支持部材の上で印刷機の一部として受けられているのではない。
【００１１】
本発明では、変化する温度条件のもとで、形状の安定した印刷機が提供されるという利点がある。石材は、金属よりも明らかに低い熱膨張率を有している。機械的な力作用に関しても、本発明による印刷機の支持部材は特別に形状安定的であり、特に、通常用いられる金属素材よりも堅牢または安定的である。そのうえ石材は、広く使用されている金属素材よりも強力な振動減衰を行う。最後に、石材は電気的な絶縁体なので、その結果として腐食が発生しない。石材という素材はきわめて正確に加工することができるので、支持部材の幾何学形状の、品質的に非常に高価値な精度を実現することが可能である。
【００１２】
商業的な見地からしても、本発明による印刷機の特徴に基づいて利点が得られる。保護および／または外観にかかわる理由により、たとえばコーティングや塗料によって、高いコストのかかる表面加工をする必要がないからである。実際、金属素材からなる同等の構成部品に要する製造費用は、石材からなる構成部品を明らかに上回っている。金属素材からなる構成部品の加工、測定、検査、組立のほうが、高いコストを要する場合があるからである。
【００１３】
本発明の印刷機では、石材の支持部材は、室内での印刷ユニットの少なくとも一部の位置決めに必要な支持力を印加することができ、および／または前記一部に働く重力の補償力を、その主要部分について、もしくは全面的に印加することができる。換言すると、支持部材はまず第１に、本発明による印刷機の印刷ユニットを設置または固定する役目を果す。
【００１４】
本発明による印刷機のいくつかの実施態様では、複数の印刷ユニットが支持部材に受けられていてもよい。これに加えて、またはこれに代えて、機械支持構造は石材で製作された複数の支持部材を有することができる。
【００１５】
１つまたは複数の支持部材は、モノブロックまたはモノリスから製作されていてもよい。特にモノブロック（単一ブロックとも呼ぶ）は、壁のように、特に印刷機の側壁のように、垂直方向に立てられていてもよい。特に、このような実施態様では、モノブロックは、特に水平方向で、並んでいるすべての印刷ユニットを受ける役目をする。このような種類の実施態様では、台状ブロックおよび／またはトラバースが不要になるという利点があり、それにより、特に製造時における費用のメリットが得られ、搬送が容易になる。場合によっては、モノブロックを別個の台座、基礎形材等の上に据えることができる。長手方向には鉱物性材料しか配置されておらず、それに対して、金属の構成部品はモノブロックに対して横向きに延びているという意味で、モノブロック形式における金属性材料と鉱物性材料の膨張挙動の違いは重要ではないことを強調しておく。長手方向には金属接合部がないので、好ましくない長さ変動や膨張が防止される。
【００１６】
特に、本発明による印刷機の石材で製作された支持部材は、基礎フレーム、機械フレーム、底面プレート、底面ユニット、印刷ユニットフレーム、印刷ユニット下部、側面、側壁、側方フレーム、支持壁、橋形支持体、または連結形材であってもよい。
【００１７】
本発明による印刷機の第１のグループの実施態様では、石材は自然石である。換言すると、支持部材は、天然に産出される石材で製作されていてもよい。特に、自然石は火成岩、深成岩、脈石、噴出岩、または変成岩であってもよい。自然石は、花崗岩、花崗岩質の岩石、花崗斑岩、片麻岩、または大理石であるのが好ましい。特別に好ましい実施態様では、自然石は黒色花崗岩、斑レイ岩、またはインパラ花崗岩である。
【００１８】
インパラ花崗岩が特別に好ましい。インパラ花崗岩の膨張率は、鋳鋼のおよそ０．２倍にすぎない。
【００１９】
本発明による印刷機の第２のグループでは、石材は人造石である。特に、人造石はコンクリートまたはセラミックであってもよい。
【００２０】
特別に好ましいコンクリートは、２００Ｎ／ｃｍ2の引張強度を有している。有利に使用されるコンクリートは、均質な構造を有している。コンクリートは鉄筋で補強されていてもよい。
【００２１】
人造石に関しては、モノブロックの形態の実施態様が好ましい。モノブロックは、人造石によって簡単かつ低コストな仕方で具体化することができる。
【００２２】
特に第１または第２のグループのいくつかの実施態様では、支持部材は、石材と少なくとも１つの別の素材とからなる複合材料であってもよい。特に、この別の素材はハニカム構造をもつプラスチックであってもよい。このようにして、一定の強度特性と安定性特性を同時に得ながら、好ましい重量削減を実現することが可能である。
【００２３】
特に第１のグループの実施態様における本発明の印刷機は、特にレーベル印刷用のウェブを処理する印刷機であってもよい。ウェブを処理する印刷機は、印刷された被印刷体ウェブのための巻取部を有していてもよい。この印刷機は縦目ウェブ印刷機であってもよい。被印刷体ウェブは５５０ｍｍ以下の幅であってもよく、特に３４０ｍｍ以下であり、２８５ｍｍ以下であってもよい。
【００２４】
これに代えて、特に第２のグループの実施態様における本発明の印刷機は、枚葉紙を処理する印刷機であってもよい。枚葉紙を処理する印刷機は、給紙装置と、複数の印刷ユニット（通常は４，６，８，１０または１２の印刷ユニット、特にオフセット印刷ユニット）と、排紙装置とを有していてもよい。枚葉紙を処理する印刷機は、両面印刷機（反転式機械）であってもよい。
【００２５】
好ましい実施態様では、印刷機はレーベル印刷機である。印刷機は、粘着性レーベルの製造に適していてもよい。レーベル印刷機は、特に、特許文献１に開示されているいくつかの特徴および特徴の組み合わせを有していてもよい。引用により、特許文献１を本明細書の開示内容へ明示的に取り入れる。
【００２６】
印刷機はオフセット印刷機であってもよく、または、他の印刷方法で作動する複数の別の印刷ユニットを備えていてもよく、少なくとも１つのオフセット印刷ユニットを有していてもよい（ハイブリッド型印刷機）。
【００２７】
本発明による印刷機、特にレーベル印刷機の１つの好ましい実施態様は、(部分的に、またはそれぞれ全部が）互いに異なる印刷方法で作動する、複数の印刷ユニットを有している。この場合、異なる印刷方法は、次に挙げる印刷方法のうちの１つまたは複数を含んでいてもよい：フレキソ印刷。グラビア印刷、活版印刷、凸版印刷、直接式または間接式の平版印刷、石版印刷、オフセット印刷、水なしオフセット印刷、冷間フィルム浮き出し印刷、熱間フィルム浮き出し印刷、インクジェット印刷、液体トナー印刷、スクリーン印刷、ゼログラフィ印刷。
【００２８】
第１の印刷方法の印刷ユニットが、印刷機の残りの部分（および場合により印刷ユニットの残りの部分）を含めた分離個所から部分的または全面的に取り外され、分離個所で受けられるべき第２の印刷方法の印刷ユニットによって部分的または全面的に置き換えられることによって、印刷機、特にレーベル印刷機が異なる印刷方法の間で設備変更可能であると、特別に好ましい。
【００２９】
本発明による印刷機は、上述した特徴を、それぞれ単独で、または組み合わせとして有することができる。すでに挙げた特徴に代えて、またはこれに加えて、本発明による印刷機は次のような特徴も、それぞれ単独で、または組み合わせとして有することができる。すなわち、印刷機の印刷長さおよび／または印刷幅は可変であってもよい。印刷機は、複数の印刷ユニットについてモジュール形式を有することができる。本発明による印刷機の複数の印刷ユニットの各々は、石材で製作された少なくとも１つの支持部材を備える機械支持構造を有することができる。本発明による印刷機の印刷ユニットは、実質的に水平方向にタンデム型式で配置されていてもよい。これらの印刷ユニットは、個別駆動装置によって別々に駆動することができる。
【発明を実施するための最良の形態】
【００３０】
次に、本発明の実施の形態について図面を参照して説明する。
【００３１】
図１は、本発明による印刷機１０（図５参照）の有利な実施形態の、石材の支持部材からなる機械支持構造１２を、操作側から見た図で示している。この実施形態は、自然石が使われる第１のグループの実施形態に属している。機械支持構造１２は、橋形支持体とも呼ぶ、石材で製作された支持部材１４を有しており、この支持部材は、印刷ユニット３０（図５参照）（ここでは一例として４つ、標準４色刷り）、およびその他のコンポーネント、ここでは特にウェブ案内ローラ、の受け部として用いられている。そのために支持部材１４は、個々の印刷ユニットについてそれぞれグループをなして配置された複数のシャフト穴１６を有しており、さらにはローラ穴１８を有している。印刷ユニット３０は、水平方向にタンデム型で配置されている。支持部材１４が上に据えられた、機械支持構造１２の土台の主要コンポーネントも、本実施形態では石材で製作されている。この土台は、左側の側面２０と、右側の側面２２と、２つの連結形材２４とを含んでいる。有利な実施形態では、インパラ花崗岩の石材が使用される。機械支持構造１２は、調節可能な設置脚部２６の上に据えられている。図１に示す図面では、支持部材１４の後方に、同時に機械支持構造１２のさらに別の連結形材ともなるケーブルブリッジ２８を見ることができる。
【００３２】
図２は、図１の機械支持構造１２の実施形態を駆動側から見た図である。支持部材１４には、各々の印刷ユニット３０（図５参照）のための別々の駆動ユニットが、この側から取り付けられる。そのとき、回転可能に支持されている印刷ユニット３０の駆動シャフトはシャフト穴１６に挿通され、その中で軸受部材（ここでは転がり軸受）によって受けられる。各々のジャーナルに、印刷ユニットが準拠して作動するそのつどの印刷方法のツールを装着することができる。図２では、左側の側面２０、右側の側面２２、連結形材２４、調節脚部２６、およびケーブルブリッジ２８も同様に見えている。ローラ穴１８に回転可能に受けられているウェブ案内ローラ３６（図５参照）は、駆動されない。
【００３３】
図３は、本発明による図１の印刷機１０の実施形態を前から見た図である。シャフト穴１６とローラ穴１８とを備える支持部材１４は、特に山形部材３２によって、左側および右側の側面２０，２２と連結されている。連結形材２４によって、機械支持構造１２の安定した枠組みが形成されている。
【００３４】
図４には、本発明による印刷機１０の機械支持構造１２が、右側から見た図で示されている。機械支持構造１２のうち、支持部材１４と、調節脚部２６の上に据えられた右側の側面２２とが見えている。連結形材２４は、右側の側面２２の切欠き３４に収容される。ケーブルブリッジ２８はＵ字型の断面形状を有している。
【００３５】
図５は、図１の機械支持構造１２を備える、本発明による印刷機１０の有利な実施形態を示している。この実施形態は、ウェブを処理する印刷機であり、レーベル印刷機である。レーベル印刷機の石材からなる部材およびコンポーネントは、自然石、特に花崗岩で製作されているのが好ましい。すでに図１から図４を参照して説明したコンポーネントである支持部材１４、左側の側面２０、右側の側面２２、および連結形材２４を備える機械支持構造１２は、ウェブ案内ローラ３６を介してウェブ軌道が機械内部を通る、ここには図示しない被印刷体ウェブ（基材）が処理される、印刷機１０の処理部または印刷部のための支えを形成する。処理部は、支持部材１４に受けられた４つの印刷ユニット３０を含んでいる。図示した実施形態の印刷ユニット３０は、一方では、異なる円周長さの胴を使用することによって判型可変的であり、特に可変な印刷長さを生成することができ、他方では、さまざまな印刷方法の間で設備変更が可能である。特に、フレキソ印刷とグラビア印刷の間で、印刷ユニットのコンポーネントの簡単な編成替えによって、切換をすることができる。スクリーン印刷も、簡単な編成替えによって適用することができる。印刷ユニット３０を、打抜きユニットまたは特に熱間フィルム貼りなどの型押しユニットとそっくり取り替えることもできる。その場合、打抜きユニットや型押しユニットは、図２に関連してすでに述べた、取り替えられた印刷ユニット３０の別個の駆動装置によって駆動される。
【００３６】
処理部の前には、石材で製作された第１の支持壁４０を有する機械導入部３８が配置されている。処理部の後には、石材で製作された第２の支持壁４４を有する機械導出部４２が配置されている。機械導入部３８の主な機能性は、ロールにある印刷されるべき被印刷体ウェブを巻き出すことにある。そのために、巻き出し装置４６が設けられている。さらに、機械導入部３８は荷降し装置４８を含んでいる。機械導出部４２は、処理された（特に印刷された）被印刷体ウェブのロールへの巻取り装置５０を含んでいる。レーベルを製造するためには、基材の印刷に加えて、個々のレーベルを切り離すことも必要である。この目的のために印刷機は裁断装置５２を有しており、裁断装置のローラ間隙で、基材の支持体ウェブの上に残るレーベルが、格子状の裁断屑のウェブから切り離される。この裁断屑のウェブは、石材で製作された支持壁５６および巻き芯５８を有する巻取りユニット５４で、ロールに巻き取られる。
【００３７】
図６には、石材からなる支持部材を備えたレーベル印刷機である印刷機１０の図５に示す有利な実施形態を、前側から見ることができる。付されている符号の説明については、本明細書の上の２つの段落を参照されたい。
【００３８】
図７は、本発明による印刷機１０の上記に代わる実施形態の図面を、概略的に示している。この実施形態は、タンデム型式で４色刷りをするための、枚葉紙を処理するオフセット印刷機である。この印刷機はモジュール形式で構成されており、給紙装置６０と、印刷ユニット３０と、排紙装置６２とを含んでいる。枚葉紙は、給紙パイル６４から１枚ずつにさばかれて、処理のために印刷機１０へ供給され、乾燥された後に、排紙装置で排紙パイル６６に積み置かれる。本発明によると、印刷ユニット３０の側壁６８、および印刷ユニット３０の支持構造の対応するコンポーネントは、支持部材１４として石材で製作されている。本発明による枚葉紙を処理する印刷機の実施形態では、人造石、特にコンクリートが使用されるのが好ましい。人造石の技術的な製造時に、用途に応じた成形をすでに行うことができるからである。また枚葉紙印刷機には、レーベル印刷機の実施形態に比べて多数の穴、切欠き、突起等が側壁６８に必要になる場合が多く、これらは人造石、特にコンクリートの素材のほうが自然石よりも容易に実現することが可能である。給紙装置６０および排紙装置６２の支持構造も、石材、特に人造石、好ましくはコンクリートで製作されていてもよい。それに対して、印刷機のいくつかの機能コンポーネント、特に印刷ユニットの構成部品は、金属素材で製作されていてもよい。使用する素材の異なる熱膨張挙動に対処するために、本発明による印刷機、ここでは枚葉紙を処理するオフセット印刷機の実施形態では、印刷ユニットの構成部品を機械的に補償調節する装置が設けられており、それにより、各構成部品の希望する正確な相互位置が、温度の関数で自動的に実現されるようになっている。
【図面の簡単な説明】
【００３９】
【図１】本発明による印刷機の有利な実施形態の、石材の支持部材からなる機械支持構造を示す図である。
【図２】図１の実施形態の駆動側を示す図である。
【図３】図１の実施形態を前から見た図である。
【図４】図１の実施形態を横から見た図である。
【図５】図１の機械支持構造を備える本発明の印刷機の好ましい実施形態を示す図である。
【図６】図５に示すレーベル印刷機を前から見た図である。
【図７】本発明による印刷機の上記に代わる実施形態を示す概略図である。
【符号の説明】
【００４０】
１０    印刷機
１２    機械支持構造
１４    支持部材
１６    シャフト穴
１８    ローラ穴
２０    左側の側面
２２    右側の側面
２４    連結形材
２６    調節脚部
２８    ケーブルブリッジ
３０    印刷ユニット
３２    山形部材
３４    切欠き
３６    ウェブ案内ローラ
３８    機械導入部
４０    第１の支持壁
４２    機械導出部
４４    第２の支持壁
４６    巻き出し装置
４８    荷降し装置
５０    巻取り装置
５２    裁断装置
５４    巻取りユニット
５６    支持壁
５８    巻き芯
６０    給紙装置
６２    排紙装置
６４    給紙パイル
６６    排紙パイル
６８    側壁
【図１】
2008068624.tif 000003
【図２】
2008068624.tif 000004
【図３】
2008068624.tif 000005
【図４】
2008068624.tif 000006
【図５】
2008068624.tif 000007
【図６】
2008068624.tif 000008
【図７】
2008068624.tif 000009